(57)【特許請求の範囲】
【請求項１】
移動通信端末機は第１ネットワークを介して無線決済システムを含むサービスプロバイダ・コンピュータおよびタグと連結され、第３ネットワークを介して第１コンピュータであるモバイルネットワーク・オペレータ・コンピュータと連結され、前記第１コンピュータは第３ネットワークを介して第２コンピュータであるモバイルポータル・コンピュータおよび第３コンピュータであるモバイルマップ・コンテンツプロバイダ・コンピュータと連結され、前記第３コンピュータと前記第２コンピュータは第２ネットワークを介して連結され、前記第３コンピュータと前記サービスプロバイダ・コンピュータは前記第２ネットワークを介して前記第２コンピュータと連結される、ネットワークを用いた情報提供システムであって、
前記第１ネットワークを介してタグ識別コードを送信するタグと、
コンテンツデータを格納し、前記第１ネットワークを介して前記タグ識別コードを受信し、マップ要請データを生成し、前記第３ネットワークを介して該マップ要請データを前記コンテンツデータ及び前記タグ識別コードと共に送信する移動通信端末機と、
前記第３ネットワークを介して前記移動通信端末機から受信された前記コンテンツデータ、前記タグ識別コード及び前記マップ要請データを、前記第２ネットワークを介して送信する第１コンピュータと、
前記第２ネットワークを介して前記コンテンツデータ、前記タグ識別コード及び前記マップ要請データを受信し、前記タグ識別コードを用いて前記タグの設置地域情報を解析し、該設置地域情報に対応するマップデータ要請を前記第２ネットワークを介して送信する第２コンピュータと、
前記第２ネットワークを介して受信された前記要請に従い、前記第２ネットワークを介して前記マップデータを送信する第３コンピュータと、
を有し、
前記第２コンピュータは、前記第２ネットワークを介して前記第３コンピュータから前記マップデータを受信し、前記マップデータ及び前記コンテンツデータを格納し、前記第２ネットワークを介して前記第１コンピュータに前記マップデータを送信し、
前記第１コンピュータは、前記マップデータを前記第３ネットワークを介して前記移動通信端末機に送信し、
前記移動通信端末機は、前記タグ識別コードを前記第３ネットワークを介して前記第２コンピュータおよび前記第３コンピュータの少なくとも一つのコンピュータに送信し、前記タグ識別情報に対応する地域情報を受信し、
前記地域情報は、ＬＢＳ情報およびＧＩＳ情報を含む、情報提供システム。
【請求項２】
前記マップデータは、前記タグ識別コードを用いて解釈された前記タグの設置地域情報を有し、
前記第３コンピュータは、前記設置地域情報に該当するコンテンツデータを検索して、該コンテンツデータを前記マップデータと共に前記第１コンピュータに送信する、請求項１に記載の情報提供システム。
【請求項３】
前記第２ネットワークを介して地域情報を送信するサービスプロバイダ・コンピュータを有し、
前記移動通信端末機から前記第３ネットワークを介して地域情報要請データを受信すると、前記第２コンピュータは、前記タグ識別コードを用いて解釈された前記タグの設置地域情報に該当する地域情報を前記サービスプロバイダ・コンピュータから受信し、該受信した地域情報を前記マップデータと共に前記第１コンピュータに送信する、請求項１に記載の情報提供システム。
【請求項４】
前記サービスプロバイダ・コンピュータは、前記第１ネットワークを介して接続された前記移動通信端末機から電子シリアル番号を受信し、物品購買に対する決済を実行し、該電子シリアル番号及び決済データを前記第２コンピュータに送信する無線決済システムを有し、
前記第２コンピュータは、前記決済データを含めることで、前記移動通信端末機の登録者に対し蓄えられたポイントの決済を実行する、請求項１に記載の情報提供システム。
【請求項５】
前記第２ネットワークを介して広告データを送信する第４コンピュータを有し、
前記移動通信端末機から前記第３ネットワークを介して広告受信確認データを受信すると、前記第２コンピュータは、前記タグ識別コードを用いて解釈された前記タグの設置地域情報に該当する前記広告データを前記第４コンピュータから受信し、及び該受信した広告データを前記マップデータと共に前記第１コンピュータに送信する、請求項１に記載の情報提供システム。
【請求項６】
前記第１ネットワークは、ＲＦＩＤ及びＮＦＣの少なくとも１つを有する短距離無線通信ネットワークであり、
前記移動通信端末機は、前記タグに関して短距離無線通信を実行するリーダー部を含む、請求項１に記載の情報提供システム。
【請求項７】
前記第２ネットワークは、無線ＬＡＮ、汎用非同期送受信回路（ＵＡＲＴ）、ＴＣＰ／ＩＰ、スイッチハブ、及び直列／並列ケーブルの少なくとも１つを有する有線／無線ネットワークである、請求項１に記載の情報提供システム。
【請求項８】
前記第３ネットワークは、ゲートウェイ、基地局装置、及び相互動作機能（ＩＷＦ）の少なくとも１つを含む移動通信ネットワークである、請求項１に記載の情報提供システム。
【請求項９】
移動通信端末機は第１ネットワークを介して無線決済システムを含むサービスプロバイダ・コンピュータおよびタグと連結され、第３ネットワークを介して第１コンピュータであるモバイルネットワーク・オペレータ・コンピュータと連結され、前記第１コンピュータは第３ネットワークを介して第２コンピュータであるモバイルポータル・コンピュータおよび第３コンピュータであるモバイルマップ・コンテンツプロバイダ・コンピュータと連結され、前記第３コンピュータと前記第２コンピュータは第２ネットワークを介して連結され、前記第３コンピュータと前記サービスプロバイダ・コンピュータは前記第２ネットワークを介して前記第２コンピュータと連結される、システムにおけるネットワークを用いた情報提供方法であって、
タグが、前記第１ネットワークを介してタグ識別コードを送信するステップと、
前記移動通信端末機が、前記第１ネットワークを介して前記タグ識別コードを受信するステップと、
前記移動通信端末機がマップ要請データを生成し、該マップ要請データをコンテンツデータ及び前記タグ識別コードと共に前記第３ネットワークを介して送信するステップと、
前記第１コンピュータが、前記第３ネットワークを介して前記移動通信端末機から受信した前記コンテンツデータ、前記タグ識別コード及び前記マップ要請データを前記第２ネットワークに送信するステップと、
前記第２コンピュータが、前記第２ネットワークを介して前記コンテンツデータ、前記タグ識別コード及び前記マップ要請データを受信し、前記タグ識別コードを用いて前記タグの設置地域情報を解析し、該設置地域情報に該当するマップデータ要請を前記第２ネットワークを介して送信するステップと、
前記第３コンピュータが、前記第２ネットワークを介して受信した前記要請に従い、前記マップデータを前記第２ネットワークを介して送信するステップと、
前記第２コンピュータが、前記第２ネットワークを介して前記第３コンピュータから前記マップデータを受信し、前記マップデータ及び前記コンテンツデータを格納し、前記マップデータを前記第２ネットワークを介して前記第１コンピュータに送信するステップと、
前記第１コンピュータが前記マップデータを前記第３ネットワークを介して前記移動通信端末機に送信するステップと、
を有し、
前記移動通信端末機は、前記タグ識別コードと共に前記コンテンツデータを前記第２コンピュータおよび前記第３コンピュータの少なくとも一つのコンピュータに送信し、ＧＩＳ及びＬＢＳ情報をアップデートして、前記第３ネットワークを介して前記コンテンツデータを共有する、情報提供方法。
【請求項１０】
前記第２コンピュータが、前記コンテンツデータを格納した前記移動通信端末機の登録者に対してポイントを蓄える、請求項９に記載の情報提供方法。
【発明の詳細な説明】
【技術分野】
【０００１】
本発明は、ネットワークを用いた情報提供システム及び情報提供方法に関するものである。
【背景技術】
【０００２】
通信技術が発達するにつれて、ネットワークを用いてユーザ端末機に情報を供給するサービスが提供されてきた。たとえ、無線インターネットシステムは、ＷＡＰ（Wireless Application Protocol）を用いてモバイルエクスプローラ（Mobile Explorer）が搭載された移動通信端末機に、ニュース、証券、ゲーム、広告などの情報を提供する。
【０００３】
ところが、従来の情報提供サービスは、サービス提供者側から各ユーザに画一的な情報を提供する。したがって、ユーザは有用な情報だけでなく不要な情報も共に提供を受けるようになるため、情報利用の効率が落ちる問題点がある。
【０００４】
また、不要な情報の場合、ユーザが該当情報を確認しない可能性が高い。したがって、情報と共に提供される広告の効果も減少する問題点がある。
【発明の概要】
【発明が解決しようとする課題】
【０００５】
本発明の目的は、ユーザの位置に従って有用な情報が提供できるネットワークを用いた情報提供システム及び情報提供方法を提供することにある。
【０００６】
本発明の他の目的は、広告露出効果が向上したネットワークを用いた情報提供システム及び情報提供方法を提供することにある。
【課題を解決するための手段】
【０００７】
本発明に従うネットワークを用いた情報提供システムは、タグ識別コードを送信するタグと、第１ネットワークを介して上記タグ識別コードを受信し、マップ要請データを生成して、上記受信されたタグ識別コードと共に送信する移動通信端末機と、第３ネットワークを介して上記移動通信端末機から受信された上記タグ識別コード及びマップ要請データを第２ネットワークを介して送信する第１コンピュータと、上記第２ネットワークを介してマップデータを提供する第３コンピュータと、上記第２ネットワークを介して上記タグ識別コード及びマップ要請データを受信し、上記マップデータを上記第３コンピュータから提供を受けて、上記提供されたマップデータを上記第１コンピュータに送信する第２コンピュータと、を含み、上記第１コンピュータは上記送信されたマップデータを上記第３ネットワークを介して上記移動通信端末機に送信する。
【０００８】
本発明に従うネットワークを用いた情報提供方法は、タグがタグ識別コードを送信するステップと、移動通信端末機が第１ネットワークを介して上記タグ識別コードを受信するステップと、上記移動通信端末機がマップ要請データを生成して、上記受信されたタグ識別コードと共に第３ネットワークに送信するステップと、第１コンピュータが上記移動通信端末機が送信した上記タグ識別コード及びマップ要請データを受信して第２ネットワークに送信するステップと、第２コンピュータが上記第２ネットワークを介して上記タグ識別コード及びマップ要請データを受信し、上記タグ識別コードを用いて上記タグの設置地域情報を解析し、上記設置地域情報に該当するマップデータを上記第２ネットワークを介して要請するステップと、第３コンピュータが上記第２ネットワークを介して上記第２コンピュータが要請したマップデータを提供するステップと、上記第２コンピュータが上記マップデータを受信して上記第１コンピュータに送信するステップと、上記第１コンピュータが上記送信されたマップデータを上記第３ネットワークを介して上記移動通信端末機に送信するステップと、を含む。
【発明の効果】
【０００９】
本発明によると、ユーザの位置に従って有用な情報が提供できるネットワークを用いた情報提供システム及び情報提供方法を提供することができる。
【００１０】
また、本発明によると、広告効果が向上したネットワークを用いた情報提供システム及び情報提供方法を提供することができる。
【図面の簡単な説明】
【００１１】
【図１】本発明の実施形態に係るネットワークを用いた情報提供システムを説明するブロック図である。
【図２】本発明の実施形態に係るネットワークを用いた情報提供システムに適用される移動通信端末機を説明するブロック図である。
【図３】本発明の実施形態に係るネットワークを用いた情報提供方法において、移動通信端末機を用いてコンテンツデータをアップロードする第１の場合のデータ流れ図である。
【図４】本発明の実施形態に係るネットワークを用いた情報提供方法において、移動通信端末機を用いてコンテンツデータをアップロードする第２の場合のデータ流れ図である。
【図５】本発明の実施形態に係るネットワークを用いた情報提供方法において、移動通信端末機に地図情報を提供する場合のデータ流れ図である。
【図６】本発明の実施形態に係るネットワークを用いた情報提供方法において、移動通信端末機に地域情報を提供する場合のデータ流れ図である。
【図７】本発明の実施形態に係るネットワークを用いた情報提供方法において、移動通信端末機に地域情報及び広告情報を提供する場合のデータ流れ図である。
【図８】本発明の実施形態に係るネットワークを用いた情報提供方法において、移動通信端末機を用いて物品購買決済を処理する場合のデータ流れ図である。
【発明を実施するための形態】
【００１２】
以下、添付図面を参照しつつ本発明の実施形態に係るネットワークを用いた情報提供システム及び情報提供方法について詳細に説明する。
【００１３】
図１は、本発明の実施形態に係るネットワークを用いた情報提供システムを説明するブロック図である。
【００１４】
図１に示すように、本発明の実施形態に係るネットワークを用いた情報提供システムは、タグ１００、移動通信端末機２００、第１コンピュータ（以下、「モバイルネットワーク・オペレータ・コンピュータ（Mobile Network Operator computer）」）３００、第２コンピュータ（以下、「モバイルポータル・コンピュータ（mobile portal computer）」）４００、第３コンピュータ（以下、「モバイルマップ・コンテンツプロバイダ・コンピュータ（mobile map content provider computer）」）５００、第４コンピュータ（以下、「モバイル広告・コンテンツプロバイダ・コンピュータ（mobile advertisement content provider computer）」）６００、及びサービスプロバイダ・コンピュータ７００を含む。
【００１５】
移動通信端末機２００は、第１ネットワーク８００を介して無線決済システム７２０を備えたサービスプロバイダ・コンピュータ７００及びタグ１００と連結され、第３ネットワーク８３０を介してモバイルネットワーク・オペレータ・コンピュータ３００と連結される。
【００１６】
モバイルネットワーク・オペレータ・コンピュータ３００は、第３ネットワーク８３０を介してモバイルポータル・コンピュータ４００及びモバイルマップ・コンテンツプロバイダ・コンピュータ５００と連結される。
【００１７】
モバイルマップ・コンテンツプロバイダ・コンピュータ５００とモバイルポータル・コンピュータ４００は第２ネットワーク８２０を介して連結され、モバイル広告・コンテンツプロバイダ・コンピュータ６００とサービスプロバイダ・コンピュータ７００は第２ネットワーク８２０を介してモバイルポータル・コンピュータ４００と連結される。
【００１８】
タグ１００は、移動通信端末機２００に備えられたリーダー部２１０（図２参照）と近距離通信（near field communication）を実行する。近距離通信には、約９００ＭＨｚ帯域通信、ＲＦＩＤ（radio frequency identification）通信、約１３．５６ＭＨｚ帯域通信が可能である。タグ１００は個体識別情報（unique identifier：ＵＩＤ）コード形態のタグ識別コードを移動通信端末機２００に送信する。
【００１９】
タグ１００は、所定の位置に固定設置されてタグ識別コードを送信する。例えば、タグ１００は、道路、建物、または建物内に置かれた物品などに設置できる。したがって、タグ１００は保護のためのハウジングに挿入されて、土地や壁面に埋設または付着される形態で設置できる。
【００２０】
タグ１００が送信するタグ識別コードは、土地登記情報、地理情報、地域情報、設置者情報などの形式で読み取ることができる。したがって、タグ１００は地域自治団体で土地登記情報を管理するために設置したタグであるとか、商店で自身のサービスを広告するために設置したタグでありうる。
【００２１】
移動通信端末機２００は、携帯電話、スマートフォン、ＰＤＡ（Personal Digital Assistant）、無線通信接続装置を備えたノートブックなどを含む。移動通信端末機２００は、第３ネットワーク８３０を介してモバイルネットワーク・オペレータ・コンピュータ３００と移動通信を実行する。移動通信端末機２００は、第１ネットワーク８００を介してタグ１００またはサービスプロバイダ・コンピュータ７００と近距離無線通信を実行する。ここで、第１ネットワーク８００はＲＦＩＤ通信網を含み、第３ネットワーク８３０はＣＤＭＡ（Code Division Multiple Access：符号分割多元接続）移動通信網を含む。
【００２２】
移動通信端末機２００は、モバイルエクスプローラを備え、無線アプリケーションプロトコル（Wireless Application Protocol：ＷＡＰ）を処理するか、ＭＭＳ（Multimedia Messaging Service：マルチメディアメッセージサービス）、ＳＭＳ（Short Messaging Service：ショートメッセージサービス）などの無線インターネットサービスを処理することができる。
【００２３】
移動通信端末機２００は、第１ネットワーク８００を介して受信されたタグ識別コードを第３ネットワーク８３０を介してモバイルポータル・コンピュータ４００またはモバイルマップ・コンテンツプロバイダ・コンピュータ５００に送信することによって、タグ識別情報に対応する地域情報の提供を受けることができる。
【００２４】
ここで、地域情報は、ＬＢＳ（location based service：位置情報サービス）情報及びＧＩＳ（geographic information service：地理情報サービス）情報などの多様な情報を有する。
【００２５】
位置情報サービスは、移動通信端末機に内蔵された通信チップを用いてユーザの位置を確認し、該当位置に従ってユーザに各種の情報を提供するサービスである。ＬＢＳ方式としては、移動通信基地局を用いるセル方式、ＧＰＳ（global positioning service）方式などがある。本実施形態ではタグ識別コードを用いた近距離無線通信方式を利用する。
【００２６】
地理情報サービスは、地図と関連した形態の情報を提供するシステムである。
【００２７】
本発明の実施形態に係る情報提供システムはこのように地域情報を提供することができる。例えば、友人、失踪者、迷児、車両、財産などの位置追跡サービスが可能である。また、緊急時通報、災難警報、救助要請などの公共安全サービス、車両ナビゲーション、地域天気予報、観光情報、割引情報、モバイルイエローページ、販売分析、流動人口予測などの地域情報を提供することができる。
【００２８】
移動通信端末機２００は、タグ識別コードと共にコンテンツデータをモバイルポータル・コンピュータ４００またはモバイルマップ・コンテンツプロバイダ・コンピュータ５００に送信する。従って、移動通信端末機２００は、ＧＩＳ及びＬＢＳ情報をアップデートし、第３ネットワーク８３０を介してコンテンツデータを共有することができる。
【００２９】
例えば、移動通信端末機ユーザはタグ１００が設けられた観光地景色を撮影し、観光地に対する鑑賞ポイント、有名な飲食店などの観光情報を入力してコンテンツデータを生成することができる。この時、移動通信端末機２００は、観光地に設けられたタグ１００からタグ識別コードを受信することができ、そしてコンテンツデータと共にタグ識別コードをモバイルマップ・コンテンツプロバイダ・コンピュータ５００またはモバイルポータル・コンピュータ４００に送信することができる。
【００３０】
モバイルネットワーク・オペレータ・コンピュータ３００は移動通信ネットワーク事業者あるいはネットワーク貸与事業者が備えたコンピュータであって、第３ネットワーク８３０を管理する。モバイルネットワーク・オペレータ・コンピュータ３００は、移動通信端末機２００とモバイルポータル・コンピュータ４００、モバイルマップ・コンテンツプロバイダ・コンピュータ５００の間のデータを両方向に伝達する。このようなモバイルネットワーク・オペレータ・コンピュータ３００は、ＭＶＮＯ（mobile virtual network operator：仮想移動体通信事業者）コンピュータの形式で整備することができる。
【００３１】
例えば、モバイルネットワーク・オペレータ・コンピュータ３００は、ＷＡＰサーバ、 ＷＡＰゲートウェイ、移動通信交換局（ＭＳＣ：mobile switching center）、基地局装置（ＢＴＳ：base transceiver station）、基地局制御装置（ＢＳＣ：base station controller）、ホームロケーションレジスタ（ＨＬＲ：home location register）、ショートメッセージセンター（ＳＭＣ：short message center）、相互動作機能（ＩＷＦ：interworking function）などの装置を備えて無線インターネットデータを処理し、有線インターネットと連動できる。
【００３２】
モバイルポータル・コンピュータ４００は、ＷＡＰサーバの一種であって、地域情報が含まれたモバイルウェブページを管理する。このようなモバイルポータル・コンピュータ４００はモバイルネットワーク・オペレータ・コンピュータ３００と共に設置されることによって、移動通信事業者がモバイルポータルウェブページをサービスすることができる。本実施形態において、モバイルネットワーク・オペレータ・コンピュータ３００及びモバイルポータル・コンピュータ４００は各々異なる場所に設置され、異なる事業者によって管理されることとする。
【００３３】
モバイルマップ・コンテンツプロバイダ・コンピュータ５００はＷＡＰサーバの一種であって、地理及び位置に基づく地域情報の動的構造を定義するためのマップデータを提供する。モバイルマップ・コンテンツプロバイダ・コンピュータ５００は、第２ネットワーク８２０を介してモバイルポータル・コンピュータ４００にマップデータを提供するか、第３ネットワーク８３０を介して移動通信端末機２００にマップデータを提供することができる。
【００３４】
マップデータがモバイルポータル・コンピュータ４００に提供された場合、マップデータは地域情報と結合された多様化した情報に加工された後、移動通信端末機２００に提供できる。マップデータが直接に移動通信端末機２００に提供される場合、相対的に単純な地図情報が提供される。移動通信端末機２００に提供された地図情報は移動通信端末機２００のユーザがアップロードしたコンテンツデータと連動できる。
【００３５】
モバイル広告・コンテンツプロバイダ・コンピュータ６００はサービス業者の広告コンテンツを生成する。本実施形態において、モバイル広告・コンテンツプロバイダ・コンピュータ６００は第２ネットワーク８２０を介してモバイルポータル・コンピュータ４００と連結される。
【００３６】
サービスプロバイダ・コンピュータ７００は、地域自治団体、商店などに設けられたコンピュータであって、地域または商品と関連した広報情報を提供する。サービスプロバイダ・コンピュータ７００は、第２ネットワーク８２０を介してモバイル広告・コンテンツプロバイダ・コンピュータ６００と連結され、無線決済システム７２０を含む。ユーザは移動通信端末機２００を用いてモバイル決済を処理することができ、この際、無線決済システム７２０は無線決済データを処理する。サービスプロバイダ・コンピュータ７００はモバイル広告・コンテンツプロバイダ・コンピュータ６００に広告を依頼した者が管理することができる。
【００３７】
第２ネットワーク８２０は、Ｗｉ−Ｆｉのような無線ネットワーク、及び汎用非同期送受信回路（universal asynchronous receiver/transmitter：ＵＡＲＴ）、インターネット（ＴＣＰ／ＩＰ）、スイッチハブ、直列／並列ケーブルのような有線ネットワークを含む。
【００３８】
図２は、本発明の実施形態に係るネットワークを用いた情報提供システムの移動通信端末機２００を説明するブロック図である。
【００３９】
図２に示すように、本発明の実施形態に係る移動通信端末機２００は、リーダー部２１０、画像入力部２２０、テキスト入力部２３０、ＲＦ処理部２４０、接続処理部２５０、送信データ処理部２６０、及び受信データ処理部２７０を含む。
【００４０】
受信データ処理部２７０はモバイルブラウザと連動して、地域情報、マップデータ、広告データ、コンテンツデータなどが受信されれば、これをモバイル画面に構成してディスプレイする。
【００４１】
受信データ処理部２７０は、ユーザインターフェース画面を提供する。受信データ処理部２７０は、タグ認識モード又は決済モードにおいて、リーダー部２１０に動作信号を伝達する。
【００４２】
リーダー部２１０はユーザの選択に従って、タグ１００と通信を実行するか、無線決済システム７２０と通信を実行する。リーダー部２１０は、ＲＦＩＤタグと通信可能なリーダー、あるいはＲＦＩＤリーダーと通信可能なアクティブタグとして用意できる。
【００４３】
リーダー部２１０は、タグ１００から受信されたタグ識別情報または無線決済システム７２０から受信された決済要請データを解明可能なディジタルデータに変換して受信データ処理部２７０に伝達する。
【００４４】
画像入力部２２０は停止画または動画を撮影する。画像入力部２２０を介して獲得された画像データは、モバイルポータル・コンピュータ４００にアップロードされるコンテンツデータとして使用できる。
【００４５】
テキスト入力部２３０は観光地情報のような地域と関連した情報をユーザが直接入力できるようにする。テキスト入力部２３０を通じて入力されたテキスト情報はコンテンツデータとして使用できる。
【００４６】
ＲＦ処理部２４０は、第３ネットワーク８３０（即ち、モバイル通信ネットワーク）のＲＦ信号をディジタル信号として処理する。
【００４７】
接続処理部２５０は、ＲＦ処理部２４０で処理されたディジタル信号を解析してネットワーク接続プロトコルを処理する。
【００４８】
送信データ処理部２６０はモバイルブラウザと連動され、画像入力部、テキスト入力部を活用して各種のデータが入力できるようにインターフェース手段を提供する。送信データ処理部２６０は収集されたデータをモバイルページ型式のコンテンツデータとして生成する。
【００４９】
このような構成に従って、ユーザは移動通信端末機２００を使用して観光名所を撮影した写真、動画データ及び鑑賞後記、経験談などを書き込んだテキストデータを含むコンテンツデータを生成することができる。
【００５０】
図３乃至図９を参照して、本発明の実施形態に係るネットワークを用いた情報提供方法を説明する。説明の便宜のために、移動通信端末機ユーザは観光地を訪問した状態であり、タグ１００は観光名所の施設物、商店などに設けられ、サービスプロバイダ・コンピュータ７００は商店に設けられたものとする。
【００５１】
図３は、本発明の実施形態に係るネットワークを用いた情報提供方法において、移動通信端末機２００を用いてコンテンツデータをアップロードする第１の場合のデータ流れ図である。ここで、コンテンツデータはモバイルポータル・コンピュータ４００にアップロードされる。
【００５２】
ユーザは移動通信端末機２００を操作してタグ認識モードに切替え、リーダー部２１０の動作をアクティブにする。
【００５３】
リーダー部２１０はタグ１００に情報要請データを送信し（Ｓ１００）、タグ１００はタグ識別コードを送信する（Ｓ１０５）。
【００５４】
移動通信端末機２００は、コンテンツデータとタグ識別コードを第３ネットワーク８３０を介してモバイルネットワーク・オペレータ・コンピュータ３００に送信する（Ｓ１１０）。
【００５５】
モバイルネットワーク・オペレータ・コンピュータ３００は、受信されたコンテンツデータとタグ識別コードを第２ネットワーク８２０を介してモバイルポータル・コンピュータ４００に送信する（Ｓ１１５）。ここで、モバイルネットワーク・オペレータ・コンピュータ３００は、第３ネットワーク８３０に接続した移動通信端末機２００の電子シリアル番号（electrical serial number：ＥＳＮ）を識別してユーザの登録情報をデータベースから抽出し、抽出されたユーザ登録情報をモバイルポータル・コンピュータ４００に提供できる。
【００５６】
モバイルポータル・コンピュータ４００は、コンテンツデータとタグ識別コードが受信されれば、タグ識別コードを解析してマッチングされる設置地域情報を検索する（Ｓ１２０）。
【００５７】
モバイルポータル・コンピュータ４００は、マッチングされた設置地域情報を含むマップ要請データを第２ネットワーク８２０を介してモバイルマップ・コンテンツプロバイダ・コンピュータ５００に送信する（Ｓ１２５）。
【００５８】
マップ要請データが受信されれば、モバイルマップ・コンテンツプロバイダ・コンピュータ５００はモバイルポータル・コンピュータ４００に決済要請データを送信する（Ｓ１３０）。
【００５９】
決済要請データを受信したモバイルポータル・コンピュータ４００は、マップ提供に従うサービス利用料金を決済処理する（Ｓ１３５）。
【００６０】
モバイルポータル・コンピュータ４００は、決済確認データを生成してモバイルマップ・コンテンツプロバイダ・コンピュータ５００に送信する（Ｓ１４０）。
【００６１】
モバイルマップ・コンテンツプロバイダ・コンピュータ５００は、マップ要請データの設置地域情報に該当するマップデータを抽出してモバイルポータル・コンピュータ４００に送信する（Ｓ１４５）。ここで、モバイルポータル・コンピュータ４００とモバイルマップ・コンテンツプロバイダ・コンピュータ５００が１つの事業者により管理される場合、決済処理過程はデータの流れ無しで内部的に処理できる。
【００６２】
モバイルポータル・コンピュータ４００は、タグ識別コード、マップデータ、及びコンテンツデータをマッチングして１つの地域情報として生成し、これをデータベースに登録する。モバイルポータル・コンピュータ４００は、ステップＳ１１５でモバイルネットワーク・オペレータ・コンピュータ３００が提供したユーザ登録情報を用いてコンテンツデータを提供したユーザ側にポイントが積立できる（Ｓ１５０）。
【００６３】
モバイルポータル・コンピュータ４００は、ポイント積立情報をモバイルネットワーク・オペレータ・コンピュータ３００に送信し（Ｓ１５５）、モバイルネットワーク・オペレータ・コンピュータ３００は移動通信端末機２００がコンテンツをアップロードするために第３ネットワークに接続した通信費用をステップＳ１５０で積み立てられたポイントから差し引いて決済処理する（Ｓ１６０）。
【００６４】
モバイルネットワーク・オペレータ・コンピュータ３００は通信費の決済処理情報をモバイルポータル・コンピュータ４００に送信し（Ｓ１６５）、モバイルポータル・コンピュータ４００は最初に積み立てられたポイントを差し引いて精算する（Ｓ１７０）。
【００６５】
このように、モバイルネットワーク・オペレータ・コンピュータ３００とモバイルポータル・コンピュータ４００は、ユーザ登録情報、ポイントを用いた決済処理情報、及び精算情報を共有するが、これはポイントが多様な構成部で決済手段として利用できるためである。
【００６６】
図４は、本発明の実施形態に係るネットワークを用いた情報提供方法において、移動通信端末機２００を用いてコンテンツデータをアップロードする第２の場合のデータ流れ図である。ここで、コンテンツデータはモバイルマップ・コンテンツプロバイダ・コンピュータ５００にアップロードされる。
【００６７】
モバイルマップ・コンテンツプロバイダ・コンピュータ５００は、モバイルポータル・コンピュータ４００のようにポータル情報を提供することができないが、ユーザが生成したコンテンツデータをマップデータと結合して提供することができる。
【００６８】
移動通信端末機２００のリーダー部２１０は、タグ１００に情報要請データを送信し（Ｓ２００）、タグ１００はタグ識別コードを送信する（Ｓ２０５）。
【００６９】
移動通信端末機２００は、コンテンツデータとタグ識別コードを第３ネットワーク８３０を介してモバイルネットワーク・オペレータ・コンピュータ３００に送信する（Ｓ２１０）。
【００７０】
モバイルネットワーク・オペレータ・コンピュータ３００は、受信されたコンテンツデータとタグ識別コードを第２ネットワーク８２０を介してモバイルマップ・コンテンツプロバイダ・コンピュータ５００に送信する（Ｓ２１５）。この際、ユーザ登録情報も共に送信できる。
【００７１】
モバイルマップ・コンテンツプロバイダ・コンピュータ５００は、コンテンツデータとタグ識別コードが受信されれば、タグ識別コードを解析してタグ１００の設置地域情報とマッチングし、設置地域情報に該当するマップデータを抽出する。
【００７２】
マップデータが抽出されれば、モバイルマップ・コンテンツプロバイダ・コンピュータ５００は、タグ識別コード、マップデータ、及びコンテンツデータをマッチングして１つの地域情報として生成し、これをデータベースに登録する。また、モバイルマップ・コンテンツプロバイダ・コンピュータ５００は、コンテンツを提供したユーザ側にポイントを積み立てる（Ｓ２２０）。
【００７３】
モバイルマップ・コンテンツプロバイダ・コンピュータ５００は、ポイント積立情報をモバイルネットワーク・オペレータ・コンピュータ３００に送信し（Ｓ２２５）、モバイルネットワーク・オペレータ・コンピュータ３００は移動通信端末機２００の通信費用を積み立てられたポイントから差し引いて決済処理する（Ｓ２３０）。
【００７４】
モバイルネットワーク・オペレータ・コンピュータ３００は、通信費の決済処理情報をモバイルマップ・コンテンツプロバイダ・コンピュータ５００に送信し（Ｓ２３５）、モバイルマップ・コンテンツプロバイダ・コンピュータ５００は、最初に積み立てられたポイントを差し引いて精算する（Ｓ２４０）。
【００７５】
このように精算されたポイントは、後ほど移動通信端末機２００がモバイルマップ・コンテンツプロバイダ・コンピュータ５００から地域情報の提供を受ける場合、サービス利用料として決済できる。
【００７６】
図５は、本発明の実施形態に係るネットワークを用いた情報提供方法において、移動通信端末機２００に地図情報を提供する場合のデータ流れの例示図である。図５は、移動通信端末機２００がコンテンツデータをモバイルマップ・コンテンツプロバイダ・コンピュータ５００にアップロードした後、モバイルマップ・コンテンツプロバイダ・コンピュータ５００に収集されたコンテンツデータと地図情報を用いる場合を例示している。
【００７７】
移動通信端末機２００のリーダー部２１０は、タグ１００に情報要請データを送信し（Ｓ３００）、タグ１００はタグ識別コードを送信する（Ｓ３０５）。
【００７８】
移動通信端末機２００は、マップ要請データとタグ識別コードを第３ネットワーク８３０を介してモバイルネットワーク・オペレータ・コンピュータ３００に送信する（Ｓ３１０）。
【００７９】
モバイルネットワーク・オペレータ・コンピュータ３００は、受信されたマップ要請データとタグ識別コードを第２ネットワーク８２０を介してモバイルマップ・コンテンツプロバイダ・コンピュータ５００に送信する（Ｓ３１５）。この際、ユーザ登録情報も共に送信できる。
【００８０】
モバイルマップ・コンテンツプロバイダ・コンピュータ５００は、マップ要請データとタグ識別コードが受信されれば、タグ識別コードを解析してタグ１００の設置地域情報とマッチングし、設置地域情報に該当するマップデータとコンテンツデータを抽出する。また、モバイルマップ・コンテンツプロバイダ・コンピュータ５００はユーザ登録情報を確認し、ユーザのポイントを差し引いて情報利用料を決済する（Ｓ３２０）。
【００８１】
モバイルマップ・コンテンツプロバイダ・コンピュータ５００は、抽出されたマップデータとコンテンツデータ、ポイントの決済処理情報をモバイルネットワーク・オペレータ・コンピュータ３００に送信する（Ｓ３２５）。
【００８２】
モバイルネットワーク・オペレータ・コンピュータ３００は、決済処理情報を用いて現在登録されたポイントを精算し（Ｓ３３０）、マップデータとコンテンツデータを移動通信端末機２００に送信する（Ｓ３３５）。
【００８３】
モバイルネットワーク・オペレータ・コンピュータ３００は、移動通信端末機２００の通信費をポイントで決済し（Ｓ３４０）、決済処理情報をモバイルマップ・コンテンツプロバイダ・コンピュータ５００に送信する（Ｓ３４５）。
【００８４】
モバイルマップ・コンテンツプロバイダ・コンピュータ５００は、最終的に移動通信端末機２００のポイントを差し引いて精算する（Ｓ３５０）。
【００８５】
したがって、観光地を訪問したユーザは、移動通信端末機２００を用いて自身の位置を地図上で確認し、コンテンツデータを確認することができる。
【００８６】
図６は、本発明の実施形態に係るネットワークを用いた情報提供方法において、移動通信端末機２００に地域情報を提供する場合のデータ流れ図である。
【００８７】
移動通信端末機２００のリーダー部２１０は、タグ１００に情報要請データを送信し（Ｓ４００）、タグ１００はタグ識別コードを送信する（Ｓ４０５）。
【００８８】
移動通信端末機２００は、地域情報要請データ、マップ要請データ、及びタグ識別コードを第３ネットワーク８３０を介してモバイルネットワーク・オペレータ・コンピュータ３００に送信する（Ｓ４１０）。
【００８９】
モバイルネットワーク・オペレータ・コンピュータ３００は、受信されたデータに地域情報要請データが含まれたことを確認して、データ伝達経路をモバイルポータル・コンピュータ４００に設定する。モバイルネットワーク・オペレータ・コンピュータ３００は、地域情報要請データ、マップ要請データ、及びタグ識別コードをモバイルポータル・コンピュータ４００に送信する（Ｓ４１５）。この際、ユーザ登録情報も共に送信できる。
【００９０】
モバイルポータル・コンピュータ４００は、地域情報要請データ、マップ要請データ、及びタグ識別コードが受信されれば、タグ識別コードを解析してタグ１００の設置地域情報とマッチングし、移動通信端末機２００の情報利用料をポイントで決済する（Ｓ４２０）。
【００９１】
モバイルポータル・コンピュータ４００は、設置地域情報が含まれたマップ要請データをモバイルマップ・コンテンツプロバイダ・コンピュータ５００に送信し（Ｓ４２５）、設置地域情報が含まれた地域情報要請データ及び決済要請データをサービスプロバイダ・コンピュータ７００に送信する（Ｓ４３０）。
【００９２】
サービスプロバイダ・コンピュータ７００で提供される地域情報は、広告／広報情報を含む。モバイルポータル・コンピュータ４００は、サービスプロバイダ・コンピュータ７００から広告処理に対する手数料を受けて、モバイルポータル・コンピュータ４００がサービスプロバイダ・コンピュータ７００に送信する決済要請データは、広告処理に対する手数料の決済を要請するデータである。
【００９３】
手数料の決済はポイントでない現金で処理され、このような収益構造を通じてポイント決済概念が導入できる。即ち、モバイルポータル・コンピュータ４００は、広告主から得られた収益をポイントに還元して各構成部で処理されるデータ処理費用に用いられるようにすることができ、このような決済方式を通じてユーザのサービス利用を極大化させることができる。
【００９４】
サービスプロバイダ・コンピュータ７００は、決済要請データが受信された場合、地域情報広報に対する決済を処理し（Ｓ４３５）、決済確認データと設置地域情報に該当する地域情報データをモバイルポータル・コンピュータ４００に送信する（Ｓ４４５）。
【００９５】
モバイルマップ・コンテンツプロバイダ・コンピュータ５００は、マップデータの提供に伴う決済要請データをモバイルポータル・コンピュータ４００に送信し（Ｓ４４０）、モバイルポータル・コンピュータ４００はモバイルマップの提供の代価を決済した後（Ｓ４５０）、決済確認データをモバイルマップ・コンテンツプロバイダ・コンピュータ５００に送信する（Ｓ４５５）。
【００９６】
決済確認データが受信された後、モバイルマップ・コンテンツプロバイダ・コンピュータ５００は、マップ要請データに含まれたタグの設置地域情報に該当するマップデータを抽出してモバイルポータル・コンピュータ４００に送信する（Ｓ４６０）。
【００９７】
モバイルポータル・コンピュータ４００は、移動通信端末機２００のポイント決済処理情報、地域情報、マップデータ、及びコンテンツデータをモバイルネットワーク・オペレータ・コンピュータ３００に伝達する（Ｓ４７０）。ここで、コンテンツデータは、移動通信端末機２００ユーザがモバイルポータル・コンピュータ４００に直接アップロードしたマルチメディアデータ、またはモバイルポータル・コンピュータ４００がデータベースで管理する一般的なポータル情報を含む。このような場合、モバイルポータル・コンピュータ４００は、タグ１００の設置地域情報に該当するポータル情報をデータベースから検索してコンテンツデータとして構成できる。
【００９８】
モバイルネットワーク・オペレータ・コンピュータ３００は、モバイルポータル・コンピュータ４００から伝えられた決済処理情報によって、移動通信端末機２００のユーザ登録情報に記録されたポイントを精算し（Ｓ４７５）、モバイルネットワーク・オペレータ・コンピュータ３００は、地域情報、マップデータ、及びコンテンツデータを移動通信端末機２００に伝達する（Ｓ４８０）。
【００９９】
モバイルネットワーク・オペレータ・コンピュータ３００は、移動通信端末機２００の第３ネットワーク８３０の利用料をポイントで決済し（Ｓ４８５）、決済処理情報をモバイルポータル・コンピュータ４００に伝達する。
【０１００】
モバイルポータル・コンピュータ４００は、共有された決済処理情報によりポイントを精算することによって（Ｓ４９５）、以後、ユーザがサービスを利用する場合、積み立てられたポイントが誤って計算される場合を防止する。
【０１０１】
一方、ステップＳ４８０で、移動通信端末機２００のモバイルブラウザはモバイルネットワーク・オペレータ・コンピュータ３００が提供した地域情報、マップデータ、及びコンテンツデータを１つの画面で構成してディスプレイできる。
【０１０２】
ここに、移動通信端末機２００にはタグ１００が設けられた地域の地図と、ユーザが撮影してアップロードしたタグ設置地域の景色が写真で表示できる。また、タグ設置地域の住所、推薦する価値がある名所などに対する地域情報が表示できる。
【０１０３】
図７は、本発明の実施形態に係るネットワークを用いた情報提供方法において、移動通信端末機２００を通じて地域情報及び広告情報を提供する場合のデータ流れ図である。
【０１０４】
移動通信端末機２００のリーダー部２１０は、タグ１００に情報要請データを送信し（Ｓ５００）、タグ１００はタグ識別コードを送信する（Ｓ５０２）。
【０１０５】
移動通信端末機２００は、地域情報要請データ、マップ要請データ、及びタグ識別コードを第３ネットワーク８３０を介してモバイルネットワーク・オペレータ・コンピュータ３００に送信する（Ｓ５０４）。
【０１０６】
モバイルネットワーク・オペレータ・コンピュータ３００は、送信されたデータに地域情報要請データが含まれたことを確認してデータ伝達経路をモバイルポータル・コンピュータ４００に設定する。モバイルネットワーク・オペレータ・コンピュータ３００は、地域情報要請データ、マップ要請データ、及びタグ識別コードをモバイルポータル・コンピュータ４００に送信する（Ｓ５０６）。この際、ユーザ登録情報も共に送信できる。
【０１０７】
モバイルポータル・コンピュータ４００は、地域情報要請データ、マップ要請データ、及びタグ識別コードが受信されれば、タグ識別コードを解析してタグ１００の設置地域情報とマッチングし、移動通信端末機２００の情報利用料をポイントで決済する（Ｓ５０８）。
【０１０８】
モバイルポータル・コンピュータ４００は、タグ１００の設置地域で商店を運営する者により要請された広告データが存在するか否かを判断する。即ち、商店を運営する者はサービスプロバイダ・コンピュータ７００を備えて地域情報を載せることができる者であって、モバイル広告・コンテンツプロバイダ・コンピュータ６００の運営者（たとえ、広告業者）に広告製作を要請し、モバイル広告・コンテンツプロバイダ・コンピュータ６００は上記の要請に従って製作された広告データを備えた状態である。また、商店運営者はモバイルポータル・コンピュータ４００の運営者に、モバイルポータルサイトを訪問した移動通信端末機２００のユーザに広告を提供するように要請した状態である。
【０１０９】
移動通信端末機２００の情報利用料がポイント決済されれば（Ｓ５０８）、モバイルポータル・コンピュータ４００は広告受信確認要請データをモバイルネットワーク・オペレータ・コンピュータ３００に伝達し（Ｓ５１２）、モバイルネットワーク・オペレータ・コンピュータ３００は広告受信確認要請データを移動通信端末機２００に伝達する（Ｓ５１４）。
【０１１０】
一方、モバイルポータル・コンピュータ４００は、設置地域情報が含まれたマップ要請データをモバイルマップ・コンテンツプロバイダ・コンピュータ５００に送信し（Ｓ５１０）、設置地域情報が含まれた地域情報要請データ及び決済要請データをサービスプロバイダ・コンピュータ７００に送信する（Ｓ５２０）。
【０１１１】
サービスプロバイダ・コンピュータ７００は、地域情報広報に対する手数料を決済する（Ｓ５２８）。
【０１１２】
一方、移動通信端末機２００に伝えられた広告受信確認要請データは、広告を受信するか否かを確認するメッセージウィンドウにディスプレイできる。ユーザは、キーパッドを操作してメッセージウィンドウに応答することによって、広告受信確認データをモバイルネットワーク・オペレータ・コンピュータ３００に送信できる（Ｓ５１６）。
【０１１３】
広告受信確認データは、ＮＭＯコンピュータ３００を経由してモバイルポータル・コンピュータ４００に伝えられる（Ｓ５１８）。
【０１１４】
ユーザが広告を見ることを決定した場合、モバイルポータル・コンピュータ４００は該当ユーザのポイント点数を累積し（Ｓ５２２）、ポイント累積情報をモバイルネットワーク・オペレータ・コンピュータ３００に送信して変更されたポイント情報を共有する（Ｓ５２４）。
【０１１５】
モバイルネットワーク・オペレータ・コンピュータ３００は、受信されたポイント累積情報に従ってポイントを精算する（Ｓ５２６）。
【０１１６】
以後、モバイルポータル・コンピュータ４００は、決済要請データと広告要請データをモバイル広告・コンテンツプロバイダ・コンピュータ６００に伝達する（Ｓ５３０）。
【０１１７】
モバイル広告・コンテンツプロバイダ・コンピュータ６００は、決済要請データが受信されるにつれて、広告製作を依頼した商店運営者のサービスプロバイダ・コンピュータ７００に決済要請データを送信する（Ｓ５３２）。この時の決済要請データは、広告データのモバイルポータル・コンピュータ４００への提供に伴い広告受信者に課せられる決済要請を意味する。
【０１１８】
サービスプロバイダ・コンピュータ７００は、モバイル広告・コンテンツプロバイダ・コンピュータ６００から伝えられた決済要請データに従って決済を処理し（Ｓ５３４）、決済確認データをモバイル広告・コンテンツプロバイダ・コンピュータ６００に伝達する（Ｓ５３２）。
【０１１９】
サービスプロバイダ・コンピュータ７００の決済を確認したモバイル広告・コンテンツプロバイダ・コンピュータ６００は、モバイルポータル・コンピュータ４００が送信した決済要請データ（Ｓ５３０参照）に答えて決済を処理し（Ｓ５３８）、決済確認データと広告データをモバイルポータル・コンピュータ４００に送信する（Ｓ５４６）。
【０１２０】
一方、地域情報要請データに従う決済を処理した後（Ｓ５２８）、サービスプロバイダ・コンピュータ７００は決済確認データと地域情報データをモバイルポータル・コンピュータ４００に送信する（Ｓ５４２）。
【０１２１】
マップ要請データを受信した（Ｓ５１０参照）モバイルマップ・コンテンツプロバイダ・コンピュータ５００は、決済要請データをモバイルポータル・コンピュータ４００に送信し（Ｓ５４０）、モバイルポータル・コンピュータ４００はマップ提供に対する決済を処理する（Ｓ５４８）。
【０１２２】
モバイルポータル・コンピュータ４００は、決済確認データをモバイルマップ・コンテンツプロバイダ・コンピュータ５００に送信し（Ｓ５５０）、モバイルマップ・コンテンツプロバイダ・コンピュータ５００はマップデータをモバイルポータル・コンピュータ４００に送信する（Ｓ５５２）。
【０１２３】
モバイルポータル・コンピュータ４００は、移動通信端末機２００の決済処理情報（ステップＳ５０８で処理された決済情報）、地域情報、マップデータ、広告データ、及びコンテンツデータをモバイルネットワーク・オペレータ・コンピュータ３００に送信する（Ｓ５５６）。
【０１２４】
モバイルネットワーク・オペレータ・コンピュータ３００は、受信された決済処理情報に従って自身が管理するユーザのポイント点数を精算する（Ｓ５５８）。
【０１２５】
モバイルネットワーク・オペレータ・コンピュータ３００は、地域情報、マップデータ、広告データ、及びコンテンツデータを移動通信端末機２００に送信し（Ｓ５６０）、移動通信端末機２００のモバイルブラウザは、送信された地域情報、マップデータ、広告データ、及びコンテンツデータを１つの情報に構成してディスプレイできる。
【０１２６】
モバイルネットワーク・オペレータ・コンピュータ３００は、移動通信端末機２００の通信費使用料をユーザポイントで決済し（Ｓ５６２）、決済処理情報をモバイルポータル・コンピュータ４００に送信する（Ｓ５６４）。
【０１２７】
モバイルポータル・コンピュータ４００は、受信された決済処理情報に従って自身が管理するユーザのポイントを精算し（Ｓ５６６）、モバイルネットワーク・オペレータ・コンピュータ３００から受信された決済処理情報をモバイルマップ・コンテンツプロバイダ・コンピュータ５００に送信する（Ｓ５６８）。
【０１２８】
最終的に、モバイルマップ・コンテンツプロバイダ・コンピュータ５００は受信された決済処理情報に従って自身が管理するユーザのポイントを精算する（Ｓ５７０）。
【０１２９】
このようにモバイルポータル・コンピュータ４００またはモバイルマップ・コンテンツプロバイダ・コンピュータ５００で精算されたユーザのポイント点数は、ユーザが地図情報または地域情報などを用いる場合、連続して使用できる。
【０１３０】
図８は、本発明の実施形態に係るネットワークを用いた情報提供方法において、移動通信端末機２００を用いて物品購買決済を処理する場合のデータ流れ図である。
【０１３１】
サービスプロバイダ・コンピュータ７００は、ＲＦＩＤリーダー形態の無線決済システム７２０を含む。ここに、ユーザが物品を購買すれば、販売者は決済される代金を無線決済システム７２０に入力する。決済代金が入力されれば、サービスプロバイダ・コンピュータ７００は移動通信端末機２００に決済要請データを送信する（Ｓ６００）。
【０１３２】
ユーザが移動通信端末機２００のリーダー部２１０を決済モードに設定すれば、移動通信端末機２００は決済要請データを送信したサービスプロバイダ・コンピュータ７００の無線決済システム７２０に機器識別コードを送信する（Ｓ６１０）。
【０１３３】
サービスプロバイダ・コンピュータ７００は、移動通信端末機２００から受信した機器識別コードと決済代金情報を含む決済データをモバイルポータル・コンピュータ４００に送信する（Ｓ６２０）。ここに、サービスプロバイダ・コンピュータ７００はユーザが広告情報または地域情報を活用して商店を訪問した場合、割引された決済データを送信することができる。
【０１３４】
モバイルポータル・コンピュータ４００は、機器識別コードに従って登録されたユーザを把握する。モバイルポータル・コンピュータ４００は、決済データに従って該当ユーザのポイントを精算する（Ｓ４２０）。
【０１３５】
モバイルポータル・コンピュータ４００は、ポイント決済処理情報をモバイルネットワーク・オペレータ・コンピュータ３００及びモバイルマップ・コンテンツプロバイダ・コンピュータ５００に送信する（Ｓ６４０、Ｓ６５０）。
【０１３６】
受信されたポイント決済処理情報に従って、モバイルネットワーク・オペレータ・コンピュータ３００とモバイルマップ・コンテンツプロバイダ・コンピュータ５００は、各々自身が管理する該当ユーザのポイント点数を精算する（Ｓ６６０、Ｓ６７０）。
【０１３７】
このような場合、モバイルポータル・コンピュータ４００は決済代行サービスを提供するシステムの一種と見ることができ、この際、決済に使われるポイントはユーザがコンテンツデータをアップロードするか、広告情報を確認し、獲得するポイントでありうる。
【０１３８】
以上、本発明に対し、その好ましい実施形態を中心として説明したが、これは単に例示であり、本発明を限定するのでなく、本発明が属する分野の通常の知識を有する者であれば、本発明の本質的な特性から外れない範囲で例示されていない種々の変形及び応用が可能であることが分かる。例えば、本発明の実施形態に具体的に表れた各構成要素は変形して実施することができる。そして、このような変形及び応用に関連した差異点は添付された請求範囲で規定する本発明の範囲に含まれるものと解釈されるべきである。
【産業上の利用可能性】
【０１３９】
本発明は、ネットワークを用いてユーザ端末機に情報を提供することに利用できる。
【図１】
0005395091.tif 000002
【図２】
0005395091.tif 000003
【図３】
0005395091.tif 000004
【図４】
0005395091.tif 000005
【図５】
0005395091.tif 000006
【図６】
0005395091.tif 000007
【図７】
0005395091.tif 000008
【図８】
0005395091.tif 000009